(57)【要約】【課題】感光性記録媒体用カートリッジを高密度に収容でき、しかも、カートリッジの遮光性能や防塵性能に影響を与えずに、流通上或いはライブラリー上でのカートリッジの管理が容易にできる収容管理装置、収容管理方法、及び、収容管理システムを提供する。【解決手段】収容管理装置１には、感光性記録媒体１９が収容されたカートリッジ３を整列収容するカートリッジ収納庫５と、カートリッジ収納庫５内のカートリッジ３の整列方向に沿って移動可能に設けられてカートリッジ３に装備されたＲＦＩＤタグ７と交信するＲＦＩＤ交信手段９と、カートリッジ収納庫５内に収容されている各カートリッジ３の識別情報をＲＦＩＤ交信手段９を介して収集する制御装置１１と、制御装置１１が収集した識別情報等の表示を行う表示装置１３とを備える。【選択図】  図１
2007087475.tif 000002
【特許請求の範囲】
【請求項１】
ディスク状の感光性記録媒体が薄型の矩形箱であるカートリッジ本体に収容された感光性記録媒体用カートリッジを整列収容するカートリッジ収納庫と、
前記カートリッジ収納庫内の前記感光性記録媒体用カートリッジの整列方向に沿って移動可能に設けられて前記感光性記録媒体用カートリッジの所定位置に装備されたＲＦＩＤタグと交信するＲＦＩＤ交信手段と、
該ＲＦＩＤ交信手段の交信動作と前記感光性記録媒体用カートリッジの整列方向への移動動作とを制御してカートリッジ収納庫内に収容されている各感光性記録媒体用カートリッジのＲＦＩＤタグに付与されている識別情報を収集する制御装置と、
前記制御装置が収集した識別情報等の表示を行う表示装置と、を備えたことを特徴とする感光性記録媒体用カートリッジの収容管理装置。
【請求項２】
ディスク状の感光性記録媒体が薄型の矩形箱であるカートリッジ本体に収容された感光性記録媒体用カートリッジをカートリッジ収納庫に収容し、前記カートリッジ収納庫内の前記感光性記録媒体用カートリッジの整列方向に沿って移動可能に設けられて前記感光性記録媒体用カートリッジの所定位置に装備されたＲＦＩＤタグとＲＦＩＤ交信手段で交信し、該ＲＦＩＤ交信手段の交信動作と前記感光性記録媒体用カートリッジの整列方向への移動動作とを制御してカートリッジ収納庫内に収容されている各感光性記録媒体用カートリッジのＲＦＩＤタグに付与されている識別情報を制御装置によって収集し、前記制御装置が収集した識別情報等を表示装置で表示することを特徴とする感光性記録媒体用カートリッジの収容管理方法。
【請求項３】
ディスク状の感光性記録媒体が薄型の矩形箱であるカートリッジ本体に収容された感光性記録媒体用カートリッジを整列収容するカートリッジ収納庫と、前記カートリッジ収納庫内の前記感光性記録媒体用カートリッジの整列方向に沿って移動可能に設けられて前記感光性記録媒体用カートリッジの所定位置に装備されたＲＦＩＤタグと交信するＲＦＩＤ交信手段と、該ＲＦＩＤ交信手段の交信動作と前記感光性記録媒体用カートリッジの整列方向への移動動作とを制御してカートリッジ収納庫内に収容されている各感光性記録媒体用カートリッジのＲＦＩＤタグに付与されている識別情報を収集する制御装置と、前記制御装置が収集した識別情報等の表示を行う表示装置とを備えたことを特徴とする感光性記録媒体用カートリッジの収容管理システム。
【発明の詳細な説明】
【技術分野】
【０００１】
本発明は、感光性記録媒体用カートリッジの収容管理装置、収容管理方法、及び、収容管理システムに関し、更に詳しくは、感光性記録媒体としてホログラム記録媒体を収容した感光性記録媒体用カートリッジを高密度に収容でき、しかも、収容した各感光性記録媒体用カートリッジを識別情報により管理して、流通上或いはライブラリー上での感光性記録媒体用カートリッジの取り扱い性を向上させる技術に関する。
【背景技術】
【０００２】
データをホログラムによって記録するホログラム記録媒体が発明されている（例えば、特許文献１参照）。
上記ホログラム記録媒体は、円板形状の支持体上に感光性材料からなるホログラム記録層が層設された感光性記録媒体であり、データをレーザ光の干渉縞として多層記録することにより、従来普及している記録媒体であるＤＶＤよりも大きなデータ記録容量を得ることができる。
【０００３】
ところで、上記ホログラム記録媒体は、例えば、保管中にホログラム記録層が曝光されたり、或いはホログラム記録層に塵芥が付着したりすることにより、そのデータの記録性能に悪影響が及ぶため、遮光機能及び防塵機能を有するカートリッジに収容された形態での取り扱いが不可欠になる。勿論、前記ホログラム記録層へデータの読み書きを行うデータ読み書き装置にセットする場合にも、不用意な曝光等を回避するため、カートリッジに収容された形態のままで装置に装填可能なことが不可欠になる。
【０００４】
そこで、このようなカートリッジとして、ホログラム記録媒体を上側シェル及び下側シェルにより挟み込むようにして回転自在に収容するカートリッジ本体と、このカートリッジ本体に設けられて前記ホログラム記録媒体の一部を外部に露呈させる開口と、この開口を開閉するシャッタとを備えた構成のものが各種提案されている（例えば特許文献２参照）。
【０００５】
【特許文献１】特開２００４−０２９４７６号公報
【特許文献２】特開２００３−３１７４２２号公報
【発明の開示】
【発明が解決しようとする課題】
【０００６】
ところで、上記ホログラム記録媒体は、データ記録容量等で従来普及している記録媒体よりも著しく優位にあるため、今後、加速度的に普及することが予想される。
そして、その際の流通分野における商品管理や、多数のホログラム記録媒体にデータを蓄積してライブラリーを形成した場合のデータの所在管理や、多数のライブラリーからの所望の記録媒体の検索抽出等を容易にするためには、前記カートリッジに管理に必要な識別情報を付与すると同時に、付与した情報を読み出して整理する管理システムを用意しておくことが必要不可欠になる。
【０００７】
ところが、従来のカートリッジでは、このような商品管理やデータの所在管理等についての配慮について記述したものがない。そこで、現在、流通分野で普及しているバーコードによる管理技術の適用が検討されたが、次に示すような各種の問題点が指摘された。
【０００８】
第１には、バーコードを付与できるカートリッジ上の位置が制限され、包装容器等のパッケージデザインの自由度が低下するという問題である。即ち、バーコードの装着にはかなり大きな専有面積を必要とするが、ホログラム記録媒体を収容するカートリッジは、厚さ寸法が数ミリメートルの薄型の矩形箱で、箱の表面又は裏面以外には、パーコードを付与するスペースが確保できない。従って、パーコードを付与する位置が、カートリッジの表面又は裏面に制限され、それによって、包装容器等のパッケージデザインの自由度が低下するという問題が生じる。
【０００９】
第２には、識別情報の読み取り時の作業性が悪いという問題である。つまり、前述したようにカートリッジの箱の表面又は裏面にバーコードを付与した場合、多数のカートリッジを互いの表裏面が重なる状態に整列収容すると、付与したバーコードは隣接するカートリッジによって隠れてしまい、収容状態では、バーコードの読み取りができなくなる。従って、例えば、ライブラリーや商品陳列棚等で多数のカートリッジが互いの表裏面を重ねて収容されている状態で、個々のカートリッジの識別情報の読み取りが必要となる時には、カートリッジを一つずつ取り出してバーコード読み取り機にかけなければならず、識別情報の読み取り時の作業性が悪いという問題が生じてしまう。
【００１０】
この第２の問題の解決策として、各カートリッジはバーコードを添付したカートリッジの表面を表側に向けて、互いに重ならないように平面状に整列収容することが考えられるが、このような収容形態では、カートリッジの収容密度が低く、大量のカートリッジの収容が困難になるという問題が生じる。また、カートリッジを収容する収納庫自体も大きな寸法のものが必要になり、設置が困難になるという問題が生じる。
【００１１】
第３には、バーコードによる識別情報の付与では、情報の読出しが頻繁に繰り返されるような場合に、情報維持の信頼性が乏しいという問題である。つまり、バーコードの付与は、例えばバーコードを印刷したシール等を、カートリッジの表面又は裏面、若しくは、カートリッジの包装容器の所定位置に貼付することで行うが、貼付したシールがカートリッジ取扱中の擦れで剥離したり、或いはシールを貼付した包装容器が廃棄されたりすることで、付与された識別情報が途中で紛失する可能性があり、ライブラリー等で各カートリッジに付与された識別情報の読み出しが頻繁に繰り返されるような用途では、情報維持の信頼性が乏しいという問題が生じる。
【００１２】
第４には、バーコードの読み出しの際には、前述したように、一つずつカートリッジの取り出しが必要となり、カートリッジへの接触回数が増えるため、不用意な接触による衝撃等でカートリッジが汚損するといった問題点や、又は、カートリッジに装備されたシャッタが動いて、カートリッジの遮光性能や防塵性能に悪影響を与えてしまう危険性が増大するという問題点が生じることが懸念される。
【００１３】
そこで、本発明の目的は上記課題を解消することに係り、識別情報の装備のために包装容器等のパッケージデザインの自由度が低下することがなく、また、識別情報の読み取り時の作業性も良く、識別情報の読み取りが頻繁に繰り返される用途でも識別情報を途中で紛失することがなく、識別情報の維持に高い信頼性を確保でき、さらには、識別情報の読み出しのためにカートリッジが汚損することや、カートリッジの遮光性能や防塵性能が低下することがなく、流通上又はライブラリー上での管理が容易にできる感光性記録媒体用カートリッジの収容管理装置、収容管理方法、及び、収容管理システムを提供することである。
【課題を解決するための手段】
【００１４】
本発明の上記目的は、ディスク状の感光性記録媒体が薄型の矩形箱であるカートリッジ本体に収容された感光性記録媒体用カートリッジを整列収容するカートリッジ収納庫と、前記カートリッジ収納庫内の前記感光性記録媒体用カートリッジの整列方向に沿って移動可能に設けられて前記感光性記録媒体用カートリッジの所定位置に装備されたＲＦＩＤタグと交信するＲＦＩＤ交信手段と、該ＲＦＩＤ交信手段の交信動作と前記感光性記録媒体用カートリッジの整列方向への移動動作とを制御してカートリッジ収納庫内に収容されている各感光性記録媒体用カートリッジのＲＦＩＤタグに付与されている識別情報を収集する制御装置と、前記制御装置が収集した識別情報等の表示を行う表示装置と、を備えたことを特徴とする感光性記録媒体用カートリッジの収容管理装置によって達成される。
【００１５】
また、本発明の上記目的は、ディスク状の感光性記録媒体が薄型の矩形箱であるカートリッジ本体に収容された感光性記録媒体用カートリッジをカートリッジ収納庫に収容し、前記カートリッジ収納庫内の前記感光性記録媒体用カートリッジの整列方向に沿って移動可能に設けられて前記感光性記録媒体用カートリッジの所定位置に装備されたＲＦＩＤタグとＲＦＩＤ交信手段で交信し、該ＲＦＩＤ交信手段の交信動作と前記感光性記録媒体用カートリッジの整列方向への移動動作とを制御してカートリッジ収納庫内に収容されている各感光性記録媒体用カートリッジのＲＦＩＤタグに付与されている識別情報を制御装置によって収集し、前記制御装置が収集した識別情報等を表示装置で表示することを特徴とする感光性記録媒体用カートリッジの収容管理方法によって達成される。
【００１６】
さらに、本発明の上記目的は、ディスク状の感光性記録媒体が薄型の矩形箱であるカートリッジ本体に収容された感光性記録媒体用カートリッジを整列収容するカートリッジ収納庫と、前記カートリッジ収納庫内の前記感光性記録媒体用カートリッジの整列方向に沿って移動可能に設けられて前記感光性記録媒体用カートリッジの所定位置に装備されたＲＦＩＤタグと交信するＲＦＩＤ交信手段と、該ＲＦＩＤ交信手段の交信動作と前記感光性記録媒体用カートリッジの整列方向への移動動作とを制御してカートリッジ収納庫内に収容されている各感光性記録媒体用カートリッジのＲＦＩＤタグに付与されている識別情報を収集する制御装置と、前記制御装置が収集した識別情報等の表示を行う表示装置とを備えたことを特徴とする感光性記録媒体用カートリッジの収容管理システムにより達成される。
【００１７】
上記構成によれば、流通上或いはライブラリー上での管理に使用される各感光性記録媒体用カートリッジの識別情報は、無線通信でデータの読み書きが可能なＲＦＩＤタグに格納される。ＲＦＩＤタグは、既存のバーコードと比較すると遙かにコンパクト化することができるため、装着のために大きな占有スペースを確保する必要がなくなり、厚さ寸法が数ミリメートルの薄型の矩形箱であるカートリッジのカートリッジ本体でも、厚さ寸法の範囲内に簡単に収めることができる。従って、識別情報を格納したＲＦＩＤタグの装備位置がカートリッジの表面又は裏面に制限されずに比較的自由に選定でき、識別情報の装備のために包装容器等のパッケージデザインの自由度が低下することがない。
【００１８】
また、ＲＦＩＤタグからは、無線通信による交信でカートリッジに非接触に識別情報の読み取りができ、例えば、ＲＦＩＤタグのデータ交信面をカートリッジ収納庫の前面側の側端面に向けておけば、多数のカートリッジが互いに表裏面を重ねた状態に整列収容されている場合でも、カートリッジ収納庫の前面側からＲＦＩＤ交信手段を交信許容距離内でカートリッジの側端面に向けるだけで、識別情報の読み取りができる。従って、多数のカートリッジが互いの表裏面が重なる状態に整列収容されている場合でも、カートリッジを整列位置から一つずつ取り出さなくとも、簡単に識別情報の読み取りができて、識別情報の読み取り時の作業性が向上する。
そして、カートリッジ収納庫には、多数のカートリッジを互いの表裏面が重なる状態に整列収容させることができるため、高密度にカートリッジを収容できるようになり、収容カートリッジ数が一定であれば、カートリッジ収納庫を小型化することができる。そして、各カートリッジの識別情報を順に読み取りする際のＲＦＩＤ交信手段の移動距離も小さくなり、識別情報の読み取り作業が迅速化されると共に、システム全体をコンパクト化することができ、システムの設置が容易になる。
【００１９】
また、識別情報を格納したＲＦＩＤタグは、小さいため、カートリッジ本体内に収容して表面に露出しない構成とすることができ、これにより、カートリッジの表面に貼付されるバーコードのシールの場合と異なり、取扱中の擦れ等に起因したシールの剥離によって識別情報を途中で紛失することがなく、識別情報の読み取りが頻繁に繰り返される用途でも、識別情報の維持に高い信頼性を確保できる。
【００２０】
また、ＲＦＩＤタグに格納された識別情報は、無線通信による交信によって非接触に読み出しできるため、識別情報の読み出しのためにカートリッジへの接触回数が増えることがない。従って、不用意な接触による衝撃等でカートリッジが汚損したり、或いは、カートリッジに装備されたシャッタが動いて、カートリッジの遮光性能や防塵性能に悪影響を及ぼすことが回避される。即ち、識別情報の読み出しのためにカートリッジが汚損したりカートリッジの遮光性能や防塵性能が低下することもなく、カートリッジに付与した識別情報を活用して、流通上或いはライブラリー上での管理が容易にできる。
【００２１】
また、ＲＦＩＤタグの場合、データ交信面への電波の入射角が許容範囲内であれば、データ交信面の真正面で無くとも正常にデータの交信ができる。従って、上記構成のように、ＲＦＩＤタグのデータ交信面をカートリッジ収納庫の前面側に向いたカートリッジの側端面に対して傾斜させた構成では、カートリッジ収納庫の前面方向からだけでなく、カートリッジ収納庫の前面方向と交差する方向からも識別情報の読み出しが可能になり、ＲＦＩＤ交信手段の装備位置の移動精度や組み付け精度を緩和して、ＲＦＩＤ交信手段の配備を容易にすることができる。
【発明の効果】
【００２２】
本発明に係る感光性記録媒体用カートリッジの収容管理システムでは、各感光性記録媒体用カートリッジへの識別情報の付与に、無線通信により情報の読み書きが非接触にでき、しかもコンパクトなＲＦＩＤタグを採用したため、識別情報の装備のために包装容器等のパッケージデザインの自由度が低下することがなく、また、識別情報の読み取り時の作業性も良く、しかも、識別情報の読み取りが頻繁に繰り返される用途でも識別情報を途中で紛失することがなく、識別情報の維持に高い信頼性を確保でき、さらには、識別情報の読み出しのためにカートリッジが汚損したりカートリッジの遮光性能や防塵性能が低下することもなく、流通上或いはライブラリー上での管理が容易にできる。
【発明を実施するための最良の形態】
【００２３】
以下、本発明に係る感光性記録媒体用カートリッジの収容管理システムの好適な実施の形態について、図面を参照して詳細に説明する。
図１は本発明に係る感光性記録媒体用カートリッジの収容管理装置の一実施形態の概略構成を示すブロック図、図２は図１のカートリッジ収納庫に収容される感光性記録媒体用カートリッジの概略構成を示す斜視図、図３は本発明に係るカートリッジ収納庫における感光性記録媒体用カートリッジの整列収容形態の他の実施の形態を示す斜視図である。
【００２４】
この一実施形態の感光性記録媒体用カートリッジの収容管理装置１は、感光性記録媒体用カートリッジ（以下、単にカートリッジと呼ぶ）３を整列収容する箱形状又は棚形状のカートリッジ収納庫５と、カートリッジ収納庫５内のカートリッジ３の整列方向（図１の矢印Ｘ方向）に沿って移動可能に設けられてカートリッジ３の所定位置に装備されたＲＦＩＤタグ７と交信するＲＦＩＤ交信手段９と、ＲＦＩＤ交信手段９の交信動作とカートリッジ３の整列方向へのＲＦＩＤ交信手段９の移動動作とを制御してカートリッジ収納庫５内に収容されている各カートリッジ３のＲＦＩＤタグ７に付与されている識別情報を収集する制御装置１１と、制御装置１１が収集した識別情報等の表示を行う表示装置１３とを備えている。
【００２５】
カートリッジ３は、図２に示すように、薄型の矩形箱に形成された樹脂製のカートリッジ本体１５の内部に設けられたディスク収容部１７に、感光性記録媒体である円板形状（ディスク状）のホログラム記録媒体（以下、記録ディスクと称する）１９を回転自在に収容したホログラム記録媒体用カートリッジである。記録ディスク１９は、常にカートリッジ３に収容された状態で取り扱われる。
【００２６】
記録ディスク１９は、中心部に穴をあけてディスク状にしたものであり、両面に感光性材料からなるホログラム記録層が設けられた感光性記録媒体である。このホログラム記録層には、例えば、緑色５３２nm〜青色４０５nmの波長域のレーザ光により、データがレーザ光の干渉縞として多層記録される。なお、記録ディスク１９の穴部に補強材を付加してもよい。
【００２７】
カートリッジ３の上面及び下面のそれぞれには、ディスク収容部１７に収容した記録ディスク１９を外部に露呈させる開口２１が形成されている。これら開口２１は、常態ではカートリッジ３の外側に移動自在に設けられたシャッタ２３によって閉じられており、シャッタ２３が図２の矢印Ｂ方向の開き位置に向けて移動されることにより開放される。シャッタ２３は、バネによって閉じ位置である矢印Ｃ方向に付勢されており、カートリッジ３の両面にそれぞれ設けられたロック機構２５によって閉じ位置でロックされている。そのため、カートリッジ３に対する振動や衝撃等によってシャッタ２３が移動し、開口２１が不用意に開放されることはない。
【００２８】
カートリッジ３は、記録ディスク１９にデータを記録する記録装置や、記録ディスク１９からデータを読み出す再生装置に設けられたカートリッジスロットに対し、装填方向Ａから挿入される。記録装置または再生装置に装填されたカートリッジ３は、両端に設けられた位置決め穴２７によって位置決めされ、シャッタ２３が開き位置に移動されて開口２１が開放される。例えば、図２に示す状態でカートリッジ３が装置に装填された場合には、図示せぬ下面の開口２１から装置のピックアップ部がカートリッジ３内に挿入され、記録ディスク１９の下面のホログラム記録層に対しデータが記録または再生される。また、カートリッジ３を裏返して装置に装填した場合には、その時に下面に向いている開口２１からピックアップ部が挿入され、図２における記録ディスク１９の上面のホログラム記録層にデータが記録または再生される。
【００２９】
記録装置及び再生装置内には、カートリッジ３のロック機構２５を解除するロック解除機構と、シャッタ２３を閉じ位置と開き位置との間で移動させるシャッタ開閉機構とが組み込まれている。ロック解除機構は、カートリッジ３の両面にそれぞれ設けられたロック機構２５の解除用係合部２９に治具を係合させて、解除用係合部２９と一体のロック片をロック解除方向に回動させることで、シャッタ２３のロック状態を解除する。シャッタ２３のロック状態が解除されると、シャッタ開閉機構がシャッタ２３の側面に形成された穴２３ａに駆動用のピンを挿入し、かつ開き方向Ｂに移動させる。これにより、シャッタ２３がスライド移動され、カートリッジ３の両面の開口２１が開放される。
【００３０】
カートリッジ３のカートリッジ本体１５は、略板状の下側シェル１５ａと、この下側シェル１５ａの上面に接合される上側シェル１５ｂと、ディスク収容部１７を画成している。これらの下側シェル１５ａと上側シェル１５ｂは、遮光性物質と滑剤とが添加された同一または類似の熱可塑性プラスチックによって形成されている。
【００３１】
上記遮光性物質として様々な物質を添加することができるが、使用する遮光性物質に応じて、例えば、０．０１〜５．００重量％を添加することが好ましい。また、上記遮光性物質として、例えば、カーボンブラックを用いることができる。カーボンブラックの添加量としては、０．０１〜２．００重量％が好ましい。添加量が０．０１重量％を超えると、遮光性及び物理強度の向上という効果が表れるが、２．００重量％を超えると物理強度が低下するためである。
【００３２】
上記滑剤として、例えば、シリコーン系滑剤を用いることができる。このシリコーン系滑剤の添加により摩擦抵抗が低減するため、シャッタ２３の移動による削り屑の発生を少なくすることができる。また、輸送時の衝撃で記録ディスク１９とカートリッジ３の内壁とが接触した場合の削り屑の発生も低減することができる。さらに、機器への挿入性能の取り扱い性が向上する。また、流動性が向上するため、成形時の混練性、射出成形等の加工性も向上する。
【００３３】
本実施の形態のカートリッジ３は、カートリッジ本体１５内のディスク収容部１７の外周の余空間に、カートリッジ３の装置への挿入方向Ａに対してデータ交信面７ａを傾斜させた姿勢でＲＦＩＤタグ７を装備している。
【００３４】
ＲＦＩＤタグ７は、縦×横の寸法が例えば４×１０ｍｍ以下の薄肉のラベル型又はカード型の無線ＩＣチップで、自身の識別コード及び記録ディスク１９に保存されたデータの表題等の流通上或いはライブラリー上での管理に使用される識別情報を記憶可能で、記憶した情報は電波や電磁波で収容管理装置１のＲＦＩＤ交信手段９と送受信する能力を持つ。
【００３５】
また、本実施の形態のＲＦＩＤタグ７は、ＲＦＩＤ交信手段９側からの非接触電力伝送技術により、電池を持たずに半永久的に利用可能なタイプが使用されている。また、できるだけ小型のものが望ましく、例えば、通信周波数帯がマイクロ波(2.45GHz)域で、通信距離は数ｍｍ程度から数ｃｍ程度のものが使用される。
【００３６】
本実施の形態の場合、ＲＦＩＤタグ７は、図２にも示すように、下側シェル１５ａの内面に一体形成されたタグ支持部１５ｃの傾斜した頂面に、接着剤により固定されている。
【００３７】
カートリッジ収納庫５は、図１に示すように、カートリッジ３の記録装置等への挿入方向先端となる側端面３ａを収納庫の前面側にして、直立に立てた状態で収容する。収容されるカートリッジ３は、隣接するカートリッジ３と表裏面が重なるような集積状態にして収容される。
【００３８】
カートリッジ収納庫５には、図示していないが、収容されたカートリッジ３を位置決めする溝又はリブが装備されていて、各カートリッジ３の収容位置には、整理番号Ｎ（図１では、収納部の底面の前縁に付されたＰ１，ｐ２，Ｐ３……）が設定されている。
【００３９】
制御装置１１には、カートリッジ収納庫５の整理番号Ｎとその整理番号Ｎに対応するＲＦＩＤ交信手段９の適正な交信位置とを関連付けした情報が入力されていて、ＲＦＩＤ交信手段９の移動操作により任意の整理番号位置のカートリッジ３の識別情報を入手し、入手した識別情報等を表示装置１３に表示させる。
【００４０】
また、本実施の形態の制御装置１１には、キーボードやスキャナ等の適宜入力装置１２が接続でき、入力装置から入力された識別情報に該当するカートリッジ３がカートリッジ収納庫５内に格納されているか否かを調べる検索機能が装備される。
【００４１】
以上に説明した収容管理装置１では、流通上或いはライブラリー上での管理に使用される各カートリッジ３の識別情報は、無線通信でデータの読み書きが可能なＲＦＩＤタグ７に格納される。
【００４２】
ＲＦＩＤタグ７は、既存のバーコードと比較すると遙かにコンパクト化することができるため、装着のために大きな占有スペースを確保する必要がなくなり、厚さ寸法が数ミリメートルの薄型の矩形箱であるカートリッジ３のカートリッジ本体１５でも、厚さ寸法の範囲内に簡単に収めることができる。従って、識別情報を格納したＲＦＩＤタグ７の装備位置がカートリッジ３の表面又は裏面に制限されずに比較的自由に選定でき、識別情報の装備のために包装容器等のパッケージデザインの自由度が低下することがない。
【００４３】
また、ＲＦＩＤタグ７からは、無線通信による交信でカートリッジ３に非接触に識別情報の読み取りができ、例えば、ＲＦＩＤタグ７のデータ交信面７ａをカートリッジ収納庫５の前面側の側端面３ａに向けておけば、図１に示したように多数のカートリッジ３が互いに表裏面を重ねた状態に整列収容されている場合でも、カートリッジ収納庫５の前面側からＲＦＩＤ交信手段９を交信許容距離内でカートリッジ３の側端面３ａに向けるだけで、識別情報の読み取りができる。従って、多数のカートリッジ３が互いの表裏面が重なる状態に整列収容されている場合でも、カートリッジ３を整列位置から一つずつ取り出さなくとも、簡単に識別情報の読み取りができて、識別情報の読み取り時の作業性が向上する。
【００４４】
そして、カートリッジ収納庫５には、多数のカートリッジ３を互いの表裏面が重なる状態に整列収容させることができるため、高密度にカートリッジ３を収容できるようになり、収容カートリッジ数が一定であれば、カートリッジ収納庫５を小型化することができる。そして、各カートリッジ３の識別情報を順に読み取りする際のＲＦＩＤ交信手段９の移動距離も小さくなり、識別情報の読み取り作業が迅速化されると共に、システム全体をコンパクト化することができ、システムの設置が容易になる。
【００４５】
また、識別情報を格納したＲＦＩＤタグ７は、小さいため、本実施の形態のようにカートリッジ本体１５内に収容して表面に露出しない構成とすることができ、これにより、カートリッジ３の表面に貼付されるバーコードのシールの場合と異なり、取扱中の擦れ等に起因したシールの剥離によって識別情報を途中で紛失することがなく、識別情報の読み取りが頻繁に繰り返される用途でも、識別情報の維持に高い信頼性を確保できる。
【００４６】
また、ＲＦＩＤタグ７に格納された識別情報は、無線通信による交信によって非接触に読み出しできるため、識別情報の読み出しのためにカートリッジ３への接触回数が増えることがない。従って、不用意な接触による衝撃等でカートリッジ３が汚損したり、或いは、カートリッジ３に装備されたシャッタが動いて、カートリッジ３の遮光性能や防塵性能に悪影響を及ぼすことが回避される。このため、識別情報の読み出しのためにカートリッジ３が汚損したりカートリッジ３の遮光性能や防塵性能が低下することもなく、カートリッジ３に付与した識別情報を活用して、流通上或いはライブラリー上での管理が容易にできる。
【００４７】
また、ＲＦＩＤタグ７の場合、データ交信面７ａへの電波の入射角が許容範囲内であれば、データ交信面７ａの真正面で無くとも正常にデータの交信ができる。従って、上記構成のように、ＲＦＩＤタグ７のデータ交信面７ａをカートリッジ収納庫５の前面側に向いたカートリッジ３の側端面３ａに対して傾斜させた構成では、カートリッジ収納庫５の前面方向からだけでなく、カートリッジ収納庫５の前面方向と交差する方向からも識別情報の読み出しが可能になり、ＲＦＩＤ交信手段９の装備位置の移動精度や組み付け精度を緩和して、ＲＦＩＤ交信手段９の配備を容易にすることができる。
【００４８】
なお、本発明の収容管理システムは、カートリッジ３内の記録ディスク１９に対してデータの読み書きを行うホログラム記録装置や再生装置や、これらの記録装置や再生装置とカートリッジ収納庫５との間でカートリッジ３の移載を行うカートリッジチェンジャーと組み合わせることで、カートリッジ収納庫５の多数のカートリッジ３に収容された莫大な音楽や映像その他の情報から所望の情報を迅速に検出して出力するデータ出力システムに発展させることができ、映画や音楽を選択出力するジュークボックや、カートリッジ３に収容されたデータをネット配信するデータ配信システムに活用することも考えられ、多種の産業分野に応用可能である。
【００４９】
本発明に係るカートリッジ収納庫へのカートリッジ３の収容形態は、上記実施の形態に示したように、カートリッジ３相互の表裏面を重ねる集積収容に限らない。例えば、流通分野等で、商品としてのカートリッジ３を陳列したい場合などは、図３に示すように、カートリッジ３の表裏面のパッケージが見えるように、カートリッジ３を表面が重ならないように平面状に並べて収容する構造としてもよい。
【００５０】
また、図示はしないが、収納庫の底壁を円板状にして、その底壁の中心に対して放射状にカートリッジ３を配列し、ＲＦＩＤ交信手段９は前記底壁の中心に旋回可能に装備するようにしてもよい。このようにすると、識別情報の読み取り時のＲＦＩＤ交信手段９の動作は、微少角度の旋回動作となり、処理の迅速化や機構の簡略化を図ることができる。
【００５１】
なお、本発明は、前述した実施形態に限定されるものではなく、適宜な変形、改良などが可能である。
例えば、上記実施形態の収容管理装置のカートリッジ収納庫、ＲＦＩＤ交信手段、制御装置、表示装置のうち、いずれか１つ又は複数の装置を個別の独立した装置として有する収容管理システムとしてもよい。
【図面の簡単な説明】
【００５２】
【図１】本発明に係る感光性記録媒体用カートリッジの収容管理システムの一実施形態の概略構成を示すブロック図である。
【図２】図１のカートリッジ収納庫に収容される感光性記録媒体用カートリッジの概略構成を示す斜視図である。
【図３】本発明に係るカートリッジ収納庫における感光性記録媒体用カートリッジの整列収容形態の他の実施の形態を示す斜視図である。
【符号の説明】
【００５３】
１  収容管理装置
３  カートリッジ（感光性記録媒体用カートリッジ）
３ａ  側端面
５  カートリッジ収納庫
７  ＲＦＩＤタグ
９  ＲＦＩＤ交信手段
１１  制御装置
１２  入力装置
１３  表示装置
１５  カートリッジ本体
１７  ディスク収容部
１９  記録ディスク（感光性記録媒体）
【図１】
2007087475.tif 000003
【図２】
2007087475.tif 000004
【図３】
2007087475.tif 000005